(57)【要約】【課題】カンファレンスの結論に導いた重要なデータを用いて、例えばカンファレンスのサマリ等を生成する。【解決手段】操作検出部２０４は、カンファレンスの資料として使用される各データに対する操作を検出する。重要画像選定部２０６は、検出された各データに対する夫々の操作に応じてデータ毎に重要度を付与し、カンファレンスの結論に基づいて各データに対して付与した重要度を補正する。レイアウト出力部２０７は、各データの重要度に基づいて、各データをレイアウト情報に反映させる。【選択図】図２
2013228800.tif 000002
【特許請求の範囲】
【請求項１】
カンファレンスの資料として使用される各データに対する操作を検出する検出手段と、
前記検出手段により検出された前記各データに対する夫々の操作に応じて、前記データ毎に重要度を付与する付与手段と、
前記カンファレンスの結論を取得する取得手段と、
前記取得手段により取得された前記カンファレンスの結論に基づいて、前記付与手段により前記各データに対して付与された重要度を補正する補正手段と、
前記各データの重要度に基づいて、前記各データをレイアウト情報に反映させるレイアウト手段とを有することを特徴とする情報処理装置。
【請求項２】
前記各データは、前記カンファレンスの資料として予め準備された第１のデータと前記第１のデータ以外の第２のデータとのうちの何れか一方のデータであり、前記付与手段は、前記第１のデータより前記第２のデータの方に高い重要度を付与することを特徴とする請求項１に記載の情報処理装置。
【請求項３】
前記補正手段は、前記カンファレンスの結論が予め設定された方針通りである場合、前記第２のデータの重要度を増加させ、前記カンファレンスの結論が予め設定された方針から変更された場合、前記第２のデータの重要度を減少させることを特徴とする請求項２に記載の情報処理装置。
【請求項４】
前記カンファレンスは、医療カンファレンスであり、前記データは、患者を撮影することにより得られた検査画像データであることを特徴とする請求項１乃至３の何れか１項に記載の情報処理装置。
【請求項５】
情報処理装置によって実行される情報処理方法であって、
カンファレンスの資料として使用される各データに対する操作を検出する検出ステップと、
前記検出ステップにより検出された前記各データに対する夫々の操作に応じて、前記データ毎に重要度を付与する付与ステップと、
前記カンファレンスの結論を取得する取得ステップと、
前記取得ステップにより取得された前記カンファレンスの結論に基づいて、前記付与ステップにより前記各データに対して付与された重要度を補正する補正ステップと、
前記各データの重要度に基づいて、前記各データをレイアウト情報に反映させるレイアウトステップとを有することを特徴とする情報処理方法。
【請求項６】
カンファレンスの資料として使用される各データに対する操作を検出する検出ステップと、
前記検出ステップにより検出された前記各データに対する夫々の操作に応じて、前記データ毎に重要度を付与する付与ステップと、
前記カンファレンスの結論を取得する取得ステップと、
前記取得ステップにより取得された前記カンファレンスの結論に基づいて、前記付与ステップにより前記各データに対して付与された重要度を補正する補正ステップと、
前記各データの重要度に基づいて、前記各データをレイアウト情報に反映させるレイアウトステップとをコンピュータに実行させるためのプログラム。
【発明の詳細な説明】
【技術分野】
【０００１】
本発明は、カンファレンスのサマリ等を生成する技術に関するものである。
【背景技術】
【０００２】
医療の現場では、患者に対する診断や治療の方針を策定する医療カンファレンスが定常的に行われる。医療カンファレンスでは、医療カンファレンス対象患者を担当する医師、看護師及び栄養士等の医療スタッフが、患者のカルテ、医用検査画像データ及び生理検査データといった、診断や治療方針の根拠となった医用情報を収集し、複数の医師に対してプレゼンテーションを行って、その方針が妥当であるか否かを議論する。
【０００３】
医療カンファレンスの特徴として、対象となる患者一人にかける時間が短く、また、参加者が医療の知識を持っていることが前提となるため、議事進行のテンポが速いことが挙げられる。このため、医療カンファレンス中に出席者の発言や結論のメモを取り、後で議事録としてまとめるという作業が難しく、自動的に議事録となる医療カンファレンスの重要部分を抽出する機能が望まれる。
【０００４】
このような要望に対し、特許文献１には、プレゼンテーション資料内で会議参加者が記憶している可能性の高いスライドをサムネイルとして抽出し、会議のポイントを簡単に振り返ることが可能な会議サマリ生成方法が開示されている。ここで、会議参加者が記憶している可能性が高いスライドとは、提示時間が長いスライド、提示回数が多いスライド、発言者数が多いスライド、編集或いはマーキングされたスライド、注視時間、又は、回数が多いスライド等である。また、特許文献２には、医療カンファレンスの資料に対する操作に評価値を付与し、評価値の高い資料をまとめた要点を自動生成する方法が開示されている。
【０００５】
医療カンファレンスのもう一つの特徴として、会議の結論が得られることが挙げられる。例えば、担当医が下した診断が正しいか否か、又は、治療方針を続行するか否か等の結論が医療カンファレンス中に決定され、記録される。医療カンファレンスの議事録では、この結論と結論の根拠となった医用情報とが格納されることが重要である。
【先行技術文献】
【特許文献】
【０００６】
【特許文献１】特開２００５−２６７２７９号公報
【特許文献２】特開２００９−１９３１５７号公報
【発明の概要】
【発明が解決しようとする課題】
【０００７】
医療カンファレンスの結論の根拠となる医用情報を自動抽出するという観点で考えた場合、結論の内容によって根拠となる医用情報が異なる場合がある。例えば、手術の術式を議論する医療カンファレンスの場合、事前準備された資料を参照して担当医師の方針通りの術式で手術を行うという結論になった場合と、事前準備されていない別の資料を参照した結果、術式を変更するという結論になった場合とでは、根拠となる医用情報は異なる。しかしながら、特許文献１及び２に開示される技術における資料の評価値には、結論により評価値の付与方法が変わるという観点が存在しない。
【０００８】
そこで、本発明の目的は、カンファレンスの結論に導いた重要なデータを用いて、例えばカンファレンスのサマリ等を生成することにある。
【課題を解決するための手段】
【０００９】
本発明の情報処理装置は、カンファレンスの資料として使用される各データに対する操作を検出する検出手段と、前記検出手段により検出された前記各データに対する夫々の操作に応じて、前記データ毎に重要度を付与する付与手段と、前記カンファレンスの結論を取得する取得手段と、前記取得手段により取得された前記カンファレンスの結論に基づいて、前記付与手段により前記各データに対して付与された重要度を補正する補正手段と、前記各データの重要度に基づいて、前記各データをレイアウト情報に反映させるレイアウト手段とを有することを特徴とする。
【発明の効果】
【００１０】
本発明によれば、カンファレンスの結論に導いた重要なデータを用いて、例えばカンファレンスのサマリ等を生成することができる。
【図面の簡単な説明】
【００１１】
【図１】本発明の実施形態に係るカンファレンスサマリ装置の構成を概略的に示す図である。
【図２】カンファレンスシステムの機能的な構成を示す図である。
【図３】操作入力部により表示されるユーザインタフェース、及び、資料操作部により検出される操作の一例を示す図である。
【図４】ワーク領域において検査画像データに対して行われる操作の一例を示す図である。
【図５】図３のＤＩＣＯＭ管理アプリケーション起動ボタンが選択された場合に表示されるユーザインタフェースを示す図である。
【図６】図２のサマリ生成部の処理を示すフローチャートである。
【図７】図６のステップＳ６０１における重要度付与処理の詳細を示すフローチャートである。
【図８】図７のステップＳ７０１における重要度付与処理の詳細を示すフローチャートである。
【図９】重要度補正処理の補正基準の一例を表で示した図である。
【図１０】図７のステップＳ７０５における重要度補正処理の詳細を示すフローチャートである。
【図１１】図６のステップＳ６０３の詳細を示すフローチャートである。
【図１２】図１１のステップＳ１１０１において表示されるダイアログの一例を示す図である。
【図１３】図１１のステップＳ１１０３において取得されるレイアウト情報の一例を示す図である。
【図１４】図１３に示すレイアウト情報に対して、図１１のステップＳ１１０４で医療カンファレンスから得られた情報が反映されたサマリの一例を示す図である。
【図１５】図１２に示すダイアログにおいて、電子カルテボタンが押下された場合に表示されるユーザインタフェースの一例を示す図である。
【発明を実施するための形態】
【００１２】
以下、本発明を適用した好適な実施形態を、添付図面を参照しながら詳細に説明する。
【００１３】
図１は、本発明の実施形態に係るカンファレンスサマリ装置の構成を概略的に示す図である。図１に示すように、本実施形態に係るカンファレンスサマリ装置は、カンファレンスシステム１００、検査画像サーバ１０４及び電子カルテサーバ１０５がネットワーク１０３を介して接続されることによって構成されている。
【００１４】
カンファレンスシステム１００は、資料の表示及び操作、並びに、サマリ生成等、医療カンファレンスの議論を支援する機能を保持する。図１に示すように、カンファレンスシステム１００は、ディスプレイ１０１及びカンファレンス制御サーバ１０２を備える。なお、カンファレンス制御サーバ１０２は、情報処理装置の適用例となる構成である。
【００１５】
ディスプレイ１０１は、医療カンファレンスに使用されるプレゼンテーション資料及び医用情報等を表示する。また、ディスプレイ１０１は、タッチパネル式ディスプレイであり、ディスプレイ１０１上で行われた操作を検出し、瞬時にその検出結果をカンファレンス制御サーバ１０２に伝送する。カンファレンス制御サーバ１０２は、ディスプレイ１０１で検出された操作に基づいて、資料の表示、移動、書き込み、マーキング又は印刷等の命令を実行する。
【００１６】
検査画像サーバ１０４は、院内情報システムの中に存在する検査画像データを管理する。検査画像サーバ１０４において管理される検査画像データには、各種モダリティにより撮影されたＰＡＣＳ画像データや、デジタルカメラで撮影された患部の画像データ等が含まれる。検査画像サーバ１０４は、ネットワーク１０３を介してカンファレンスシステム１００と接続されており、医療カンファレンス中にアクセスされることもある。
【００１７】
電子カルテサーバ１０５は、診療、治療及び看護の記録を保持する電子カルテを制御する。また、電子カルテサーバ１０５は、ネットワーク１０３を介してカンファレンスシステム１００と接続されており、カンファレンスシステム１００から参照されることもある。
【００１８】
図２は、カンファレンスシステム１００の機能的な構成を示す図である。図２に示すように、ディスプレイ１０１は、操作入力部２０１及び表示部２０９を備える。操作入力部２０１は、グラフィックユーザインタフェースを表示し、当該グラフィックユーザインタフェースに対するユーザの操作を受け付ける。また、ディスプレイ１０１は、タッチパネル式の操作が可能であり、指でタッチされることにより、操作命令を入力する。表示部２０９は、後述するレイアウト出力部２０７においてレイアウトされたサマリを表示する。
【００１９】
カンファレンス制御サーバ１０２は、資料操作部２０２及びサマリ生成部２０３を備える。資料操作部２０２は、医療カンファレンスの議論に必要な操作を検出し、実行する。図２に示すように、資料操作部２０２は、操作検出部２０４及び操作実行部２０５を備える。操作検出部２０４は、操作入力部２０１により表示されたグラフィックユーザインタフェースに対してユーザがタッチ操作を行った場合のタッチ位置の座標、移動方向及び圧力の強さ等を検出する。操作実行部２０５は、操作検出部２０４において検出された操作に対し、予めユーザインタフェースの各操作に対して予め定義されている検査画像データの操作を実行する。予め定義されている検査画像データの操作とは、クリックによるボタンの押下、検査画像データのダブルクリックによる拡大、及び、検査画像データのドラッグ操作による移動等である。
【００２０】
サマリ生成部２０３は、医療カンファレンスの議事録を生成する。図２に示すように、サマリ生成部２０３は、重要画像選定部２０６及びレイアウト出力部２０７を備える。重要画像選定部２０６は、検査画像サーバ１０４及び医療カンファレンスのために事前に準備された資料（以下、事前準備資料と称す）２０８から、議事録に格納するための結論を導いた根拠となる重要な検査画像データを選定する。レイアウト出力部２０７は、重要画像選定部２０６により選定された検査画像データや医療カンファレンスの議事内容及び結論を出力形式に応じてレイアウトする。
【００２１】
図３は、操作入力部２０１により表示されるユーザインタフェースの一例を示す図である。ここでは、患者の手術前に担当医師が患者の診断、術式及びその根拠を示し、他の複数の医師が予定通りの術式で手術を行うか否かを議論する術前の医療カンファレンスの例について説明する。
【００２２】
図３において、３００は、カンファレンスシステム１００のユーザインタフェースである。ユーザインタフェースのタイトルバーには、医療カンファレンスの識別情報（医療カンファレンス名及び開催日時）、及び、対象患者情報（患者名、性別、主治医及び入院日等）が表示される。
【００２３】
３０１は、診断情報表示領域であり、医療カンファレンス対象患者に対する担当医の診断情報、検査情報、術式等の診療及び治療方針が表示される。３０２は、結論格納領域であり、医療カンファレンスを終了する前に得られた結論が格納される。結論格納領域３０２は、医療カンファレンスの種類に応じて異なるキーワードをメニューとして提示し、その中からユーザが項目を選択するようにしてもよい。例えば、手術前の医療カンファレンスの場合、担当医の方針通りの術式で進める場合に対応する「方針通り」や、議論の結果、別の術式で手術を行う場合に対する「術式変更」というプルダウンメニューを出してユーザに選択させる。
【００２４】
３０３は、医療カンファレンスで議論の対象となる医用情報を表示及び操作するワーク領域である。ワーク領域３０３では、検査画像データに対する選択、移動、削除、拡大及、縮小、回転、マーキング及びコメントの付与等の操作が定義されている。３０４は、検査画像表示領域であり、図２の事前準備資料２０８に格納されている、担当医が医療カンファレンスのために事前準備した検査画像データが表示される。本実施形態においては、検査画像表示領域３０４に表示された検査画像データを選択し、ワーク領域３０３へ移動する操作が定義されており、移動された検査画像データに対してワーク領域３０３上で定義された操作が可能になる。３０５及び３０６は、医療カンファレンスのために事前準備された、検査画像表示領域３０４に表示される検査画像データ以外の検査画像データを院内情報システムから取得するためのボタンである。３０７は、医療カンファレンスの議事録となるサマリの作成を指示するためのSummaryボタンである。
【００２５】
医療カンファレンスにおいては、事前準備資料２０８に格納された検査画像データだけでは診療及び治療方針の判断ができないとされた場合、院内情報システム内にある検査画像サーバ１０４から検査画像データを取得して議論に使用するという作業が頻繁に行われる。
【００２６】
３０５は、検査画像サーバ１０４上に存在するＤＩＣＯＭ規格の検査画像データを管理するアプリケーションを起動するためのＤＩＣＯＭ規格の管理アプリケーション起動ボタンである。ＤＩＣＯＭ規格とは、ＣＴ（コンピュータ断層撮影装置）やＭＲＩ（磁気共鳴画像装置）等のモダリティで撮影された検査画像データのフォーマットと通信プロトコルを定義した標準規格である。ＤＩＣＯＭ規格の検査画像データは、ほとんどの場合、専用のアプリケーションで管理される。３０６は、フォルダビューアを起動するためのフォルダビューア起動ボタンである。フォルダビューア起動ボタン３０６が操作されると、フォルダビューアが起動され、院内情報システム内の検査画像サーバ１０４に蓄積された、デジタルカメラにより撮影された患部の画像データ等の非ＤＩＣＯＭ規格の検査画像データが取得される。
【００２７】
本実施形態において、サマリは医療カンファレンス終了時に必ず作成するようにユーザに促される。例えば、カンファレンスシステム終了時にサマリが未作成状態であれば、エラーメッセージを表示するようにしてもよい。
【００２８】
以下、図４を参照しながら、図３のワーク領域３０３において検査画像データに対して行われる操作の一例について説明する。ワーク領域３０３において検査画像データに対する操作が行われると、図２の操作検出部２０４は操作の種類を特定する。操作実行部２０５は、操作検出部２０４において特定された操作に対応付けられている検査画像データの操作、即ち、検査画像データの移動、変形又は編集等を行う。なお、検査画像データに対する操作として、選択、移動、削除、拡大、縮小、回転、マーキング及びコメントの付与等が定義されている。
【００２９】
図４（ａ）は、検査画像データの拡大操作の例を示している。ワーク領域３０３において、検査画像データ４０１に対して異なる２点が押圧され、左右又は上下に広げる方向に押圧点を移動させる操作が行われると、検査画像データ４０１は検査画像データ４０２のように拡大される。一方、異なる２点が押圧され、左右又は上下に狭める方向に押圧点を移動させる操作が行われると、検査画像データ４０１は縮小される。このように、検査画像データは、２点の移動量の大きさに応じて拡大又は縮小され、患部の全景、細部を切り替えながら議論することが可能になる。
【００３０】
図４（ｂ）は、検査画像データに対するマーキング操作の例を示している。ワーク領域３０３において、検査画像データ４０３上の１点が押圧され、円を描くように画像データをなぞる操作が行われると、４０４に示すように、押圧点の軌跡に沿ってマーキングが行われる。これにより、検査画像データ４０３の注目点を示しながら、議論を進めることができる。同様に、ワーク領域３０３においては、検査画像データに対する移動、削除、回転及びコメントの付与等の操作が定義されており、これらの操作が操作実行部２０５により実行される。
【００３１】
図５は、図３のＤＩＣＯＭ管理アプリケーション起動ボタン３０５が選択された場合に表示されるユーザインタフェースを示す図である。図５において、５０１は、ＤＩＣＯＭビューアであり、検査画像サーバ１０４に格納されるＤＩＣＯＭ規格の検査画像データを管理する。即ち、ＤＩＣＯＭビューア５０１は、院内情報システムにインストールされた既存の専用アプリケーションであり、所望の検査画像データを検索して表示する機能を備える。５０２は、ＤＩＣＯＭビューア５０１からアクセスされた検査画像サーバ１０４上の検査画像データであり、ユーザは、検査画像データ５０２を選択して、ユーザインタフェース内のワーク領域３０３へ移動させることができる。ＤＩＣＯＭビューア５０１からワーク領域３０３に移動された検査画像データ５０３は、検査画像表示領域３０４からワーク領域３０３に移動された検査画像データと同様に、ワーク領域３０３で定義された操作が可能になる。
【００３２】
このように、医療カンファレンス中において、事前準備資料２０８に格納された検査画像データだけでは方針の決定材料として不十分だと判断された場合、カンファレンスシステム１００は、検査画像サーバ１０４から検査画像データを取得する。これにより、検査画像サーバ１０４から移動された検査画像データを用いて議論を行うことができる。
【００３３】
図６は、図２のサマリ生成部２０３の処理を示すフローチャートである。以下、図６を参照しながら、サマリ生成部２０３の処理について説明する。なお、図６に示す処理は、カンファレンス制御サーバ１０２内におけるＣＰＵが、ＨＤＤ等の記憶媒体から必要なプログラム及びデータをＲＡＭに読み込み、実行することにより実現する処理である。
【００３４】
ステップＳ６０１において、重要画像選定部２０６は、医療カンファレンスで議論された検査画像データに対して重要度を付与する。重要度は、医療カンファレンスの結論を導いた根拠となる検査画像データであると推定されるものほど、高いスコアが付与される。ステップＳ６０２において、重要画像選定部２０６は、重要度の高い検査画像データを、医療カンファレンスのサマリに出力する画像データとして選定する。ステップＳ６０３において、レイアウト出力部２０７は、サマリの出力方式を選択し、選択した出力方式に対応するレイアウトでサマリを生成する。
【００３５】
図７は、図６のステップＳ６０１における重要度付与処理の詳細を示すフローチャートである。本実施形態では、先ず、医療カンファレンスの議論の中での操作に基づいた重要度を検査画像データに対して付与し、医療カンファレンス終了後に得られた結論に基づき重要度を補正する、という２段階の重要度付与処理を行う。
【００３６】
ステップＳ７０１において、重要画像選定部２０６は、医療カンファレンス中に操作された検査画像データに対して、当該操作に基づく重要度を付与する。ステップＳ７０２において、重要画像選定部２０６は、図３に示すユーザインタフェース３００上でSummaryボタン３０７が押下されたか否かを判定する。Summaryボタン３０７が押下された場合、処理はステップＳ７０３に移行する。一方、Summaryボタン３０７が押下されていない場合、処理はステップＳ７０１に戻る。
【００３７】
ステップＳ７０３において、重要画像選定部２０６は、図３の結論格納領域３０２から医療カンファレンスの結論の取得処理を行う。ステップＳ７０４において、重要画像選定部２０６は、ステップＳ７０３において医療カンファレンスの結論を取得したか否かを判定する。医療カンファレンスの結論が取得された場合、処理はステップＳ７０５に移行する。一方、医療カンファレンスの結論が取得されなかった場合、処理はステップＳ７０６に移行する。ステップＳ７０６において、重要画像選定部２０６は、医療カンファレンスの結論が未入力である旨のエラーメッセージを表示する。そして処理はステップＳ７０３に戻る。このように、本実施形態では、医療カンファレンス終了前に結論を入力することが必須となるように制御している。ステップＳ７０５において、重要画像選定部２０６は、ステップＳ７０３により取得された医療カンファレンスの結論に基づいて、検査画像データの重要度を補正する。
【００３８】
図８は、図７のステップＳ７０１における重要度付与処理の詳細を示すフローチャートである。本実施形態においては、検査画像データの重要度を、以下の２つの基準により付与するようにしている。
[基準１]：図３の検査画像表示領域３０４又は図５のＤＩＣＯＭビューア５０１に表示されている検査画像データがワーク領域３０３に移動された場合、移動された検査画像データの重要度を上げる。
[基準２]：図３のワーク領域３０３において、検査画像データにマーキング操作がなされた場合、当該検査画像データの重要度を上げる。
【００３９】
ここでは、説明の便宜上、重要度付与の基準を２つに絞ったが、本発明における重要度付与方法は、以上の基準に限られるものではない。例えば、ワーク領域３０３上に表示されている時間が長い検査画像データ、ワーク領域３０３における表示回数が多い検査画像データ、又は、ワーク領域３０３において拡大操作がなされた検査画像データについて重要度を上げる等、その他の既知の方法で重要度を付与することができる。
【００４０】
図８に示す処理の前提として、本カンファレンスシステム１００に登録された検査画像データには全て重要度が付与され、医療カンファレンス開始時点で全ての検査画像データの重要度は０に初期化されている。なお、ステップＳ８０１〜Ｓ８０５は、上記[基準１]に基づいて重要度が付与される処理である。
【００４１】
ステップＳ８０１において、重要画像選定部２０６は、検査画像データがワーク領域３０３に移動されたか否かを判定する。本判定処理は、予め一定時間が設定されており、検査画像データのワーク領域３０３への移動が当該一定時間内に検出された場合、その時点で処理はステップＳ８０２に移行する。一方、検査画像データのワーク領域３０３への移動が上記一定時間内に検出されなかった場合、処理はステップＳ８０６に移行する。
【００４２】
ステップＳ８０２において、重要画像選定部２０６は、ステップＳ８０１で移動が検出された検査画像データを取得する。ステップＳ８０３において、ステップＳ８０２で取得された検査画像データが、検査画像表示領域３０４に表示されていた、図２の事前準備資料２０８に格納された検査画像データ（以下、事前準備画像データと称す）であるか、ＤＩＣＯＭビューア５０１に表示されていた、検査画像サーバ１０４から移動してきた検査画像データ（以下、外部参照画像データと称す）であるかを判定する。事前準備画像データである場合、処理はステップＳ８０４に移行する。一方、外部参照画像データである場合、処理はステップＳ８０５に移行する。なお、事前準備画像データは第１のデータの例であり、外部参照画像データは第２のデータの例である。
【００４３】
ステップＳ８０４において、重要画像選定部２０６は、ステップＳ８０２で取得した事前準備画像データの重要度を増加させる。本ステップにおける検査画像データｉの重要度ｓｃｏｒｅ（ｉ）の算出式は、次の式１のように表される。
【００４４】
【数１】
2013228800.tif 000003
【００４５】
式１により、検査画像データｉがワーク領域３０３に移動する度に重要度が定数τだけ増加される。
【００４６】
ステップＳ８０５において、重要画像選定部２０６は、ステップＳ８０２で取得した外部参照画像データの重要度を増加させる。本ステップにおける検査画像データｉの重要度ｓｃｏｒｅ（ｉ）の算出式は、次の式２のように表される。
【００４７】
【数２】
2013228800.tif 000004
【００４８】
ここでは、ν＞τとして、外部参照画像データの重要度を事前準備資料データの重要度より高くする。
【００４９】
ステップＳ８０６〜Ｓ８０８は、上記[基準２]に基づいて重要度を付与する処理である。ステップＳ８０６において、重要画像選定部２０６は、ワーク領域３０３上において、検査画像データに対してマーキング操作が行われたか否かを判定する。マーキング操作が行われた場合、処理はステップＳ８０７に移行する。一方、マーキング操作が行われなかった場合、処理は図７のステップＳ７０２に移行する。即ち、図８に示す処理は、図７のステップＳ７０２において、図３のSummaryボタン３０７が押下されることが検出されるまで繰り返される。
【００５０】
ステップＳ８０７において、重要画像選定部２０６は、マーキング操作が行われた検出画像データを取得する。ステップＳ８０８において、重要画像選定部２０６は、上記[基準２]に基づいて、マーキング操作が行われた検出画像データの重要度を上げる。ステップＳ８０８における検査画像データｉの重要度ｓｃｏｒｅ（ｉ）は、次の式３により与えられ、検査画像データに対してマーキング操作が行われる度に重要度は定数αだけ増加する。
【００５１】
【数３】
2013228800.tif 000005
【００５２】
上述したように、図８に示す処理は、図３のSummaryボタン３０７が押下されるまで繰り返し実行され、最終的に医療カンファレンスが終了した時点での検出画像データに対する操作による重要度ｓｃｏｒｅ（ｉ）は、検出画像データが事前準備画像データであれば、次の式４により与えられる。
【００５３】
【数４】
2013228800.tif 000006
【００５４】
また、検出画像データが外部参照画像データであれば、最終的に医療カンファレンスが終了した時点での検出画像データに対する操作による重要度ｓｃｏｒｅ（ｉ）は、次の式５により与えられる。
【００５５】
【数５】
2013228800.tif 000007
【００５６】
ここで、Ｍｏｖｅ＿ｆｒｅｑｕｅｎｃｙ（ｉ）は、検査画像データｉがワーク領域３０３に移動した回数である。また、Ｍａｒｋｉｎｇ＿ｆｒｅｑｕｅｎｃｙ（ｉ）は、検出画像データｉにマーキング操作が行われた回数である。
【００５７】
ここでは、外部参照画像データをＤＩＣＯＭビューア５０１で表示される検出画像データとしたが、事前準備資料２０８に登録されたディレクトリに予め格納されている検出画像データ以外の全ての検出画像データを外部参照画像データとして扱ってもよい。
【００５８】
次に、図７のステップＳ７０５における重要度補正処理について詳細に説明する。本実施形態において、図７のステップＳ７０３で取得される医療カンファレンスの結論は、「予定通り」、「術式変更」及び「保留」の３種類である。「予定通り」とは、医療カンファレンス対象患者の担当医が決めた手術方式（術式）通りに手術を行うことを意味する。「術式変更」は、医療カンファレンスによって担当医が決めた手術方式が覆り、他の方法で手術を行うことに決定したことを意味する。「保留」は、医療カンファレンスでは結論が出ずに対象患者の手術は延期されることを意味する。本実施形態では、これらの結論によって検査画像データの重要度が変更される。
【００５９】
図９は、重要度補正処理の補正基準の一例を表で示した図である。本実施形態では、外部参照画像データの重要度が結論によって変更される。図９において、９０１は、図７のステップＳ７０３で取得される医療カンファレンスの結論である。本実施形態では、「術式変更」、「予定通り」及び「保留」の３種類の結論を想定している。９０２は、外部参照画像データの有無である。９０３は、９０１及び９０２の条件に応じて重要度を補正する基準である。
【００６０】
図９に示す基準により、医療カンファレンスの結論が「術式変更」であった場合、外部参照画像データの重要度は増加する方向へ補正され、医療カンファレンスの結論が「予定通り」であった場合、外部参照画像データの重要度が減少する方向に補正される。外部参照画像データが参照された結果として術式変更になった場合、外部参照画像データは、結論の根拠となった重要な検査画像データであると推定される。一方、外部参照画像データが参照されたにも関わらず、事前準備画像データにより下された手術の方針が変わらないとすると、外部参照画像データの重要度は相対的に低下する。このように、本実施形態では、医療カンファレンスの結論に応じて、検査画像データの重要度が変更される。
【００６１】
図１０は、図７のステップＳ７０５における重要度補正処理の詳細を示すフローチャートである。以下では、図９に示す基準に沿って、本実施形態における重要度補正処理について説明する。
【００６２】
ステップＳ１００１において、重要画像選定部２０６は、図７のステップＳ７０３において取得した医療カンファレンスの結論が「術式変更」であるか否かを判定する。医療カンファレンスの結論が「術式変更」である場合、処理はステップＳ１００２に移行する。一方、医療カンファレンスの結論が「予定通り」又は「保留」である場合、処理はステップＳ１００４に移行する。
【００６３】
ステップＳ１００２において、重要画像選定部２０６は、図８のステップＳ８０３において外部参照画像データが検出されたか否かを判定する。外部参照画像データが検出された場合、処理はステップＳ１００３に移行する。外部参照画像データが検出されなかった場合、処理は終了する。
【００６４】
ステップＳ１００３において、重要画像選定部２０６は、当該外部参照画像データが結論に影響を与えた重要な検出画像データであると判断し、重要度を増加させる方向に補正する。検査画像データｉの補正された重要度ＣｏｒｒｅｃｔｅｄＳｃｏｒｅ（ｉ）は、式４又は式５のＦｉｎａｌ＿Ｓｃｏｒｅ（ｉ）を用いて、例えば、次の式６によって与えられる。
【００６５】
【数６】
2013228800.tif 000008
【００６６】
ステップＳ１００４において、重要画像選定部２０６は、図８のステップＳ８０３において外部参照画像データが検出されたか否かを判定する。外部参照画像データが検出された場合、処理はステップＳ１００５に移行する。一方、外部参照画像データが検出されなかった場合、処理は終了する。
【００６７】
ステップＳ１００５において、重要画像選定部２０６は、外部参照画像データが参照されたにも関わらず、事前準備画像データにより下された診断が採用されたということであるため、外部参照画像データの相対的な重要度は低いと判断し、重要度を減少させる方向に補正する。検査画像データｉの補正された重要度ＣｏｒｒｅｃｔｅｄＳｃｏｒｅ（ｉ）は、式４又は式５のＦｉｎａｌ＿Ｓｃｏｒｅ（ｉ）を用いて、例えば、次の式７によって与えられる。
【００６８】
【数７】
2013228800.tif 000009
【００６９】
このようにして、重要画像選定部２０６は、医療カンファレンスの結論に応じて、検査画像データの重要度を変更する。これにより、外部参照画像データが参照された結果、結論が当初の予定から変更された場合、外部参照画像データは、結論を導いた根拠となる可能性が高いとして、サマリに格納されやすくなる。また、外部参照画像データが参照されたにも関わらず、事前準備画像データから得られた方針が採用された場合、外部参照画像データは、結論を導いた根拠ではないとして、サマリに格納されにくくなる。
【００７０】
なお、本実施形態では、医療カンファレンス中に検出画像データが操作された時点で操作による重要度を付与し、最後にSummaryボタン３０７が押下された時点で重要度の補正を行っているが、これに限るものではない。医療カンファレンスの結論が出た時点で操作による重要度、及び、結論による重要度を一度に計算してもよい。
【００７１】
図１１は、図６のステップＳ６０３の詳細を示すフローチャートである。本実施形態では、医療カンファレンスのサマリの出力方式に複数の方法が定義されており、予め決められた出力方式毎のレイアウトに医療カンファレンスで得られた情報が格納される。
【００７２】
ステップＳ１１０１において、レイアウト出力部２０７は、どのような目的でサマリを作成するのかをユーザに選択させるためのダイアログを表示する。
【００７３】
ステップＳ１１０２において、レイアウト出力部２０７は、ダイアログに表示された目的からユーザによって１つの目的が選択されたか否かを判定する。目的が選択された場合、処理はステップＳ１１０３に移行する。一方、目的が選定されていない場合、処理はステップＳ１１０１に戻る。
【００７４】
ステップＳ１１０３において、レイアウト出力部２０７は、目的毎に予め決められたレイアウト情報から、ステップＳ１１０２で選択された目的に対応するレイアウト情報を取得する。
【００７５】
ステップＳ１１０４において、レイアウト出力部２０７は、ステップＳ１１０３で取得したレイアウト情報に対して医療カンファレンスから得られた情報を反映させることにより、サマリをレイアウトする。ここで、医療カンファレンスから得られる情報には、医療カンファレンス名、開催日時、開催場所、参加者等のカンファレンス関連情報、患者の名前、生年月日、性別等の患者基本情報、診断名、手術方針等の診断情報、医療カンファレンスの議論の結果得られた結論、結論を導いたと推定される重要医用情報、及び、医療カンファレンス中の発言等が含まれる。
【００７６】
ステップＳ１１０５において、レイアウト出力部２０７は、レイアウトされたサマリを表示部２０９に表示させる。ステップＳ１１０６において、レイアウト出力部２０７は、ユーザによってプレビュー画面が承認されたか否かを判定する。ユーザによってプレビュー画面が承認された場合、処理はステップＳ１１０７に移行する。一方、ユーザによってプレビュー画面が承認されていない場合、処理はステップＳ１１０５に戻る。ステップＳ１１０７において、レイアウト出力部２０７は、サマリを出力する。
【００７７】
図１２は、図１１のステップＳ１１０１において表示されるダイアログの一例を示す図である。図１２において、１２００はダイアログである。１２０１は、医療カンファレンス終了前にカンファレンスシステム１００上でサマリを議事録として表示させる場合に選択するための議事録（プレビュー）ボタンである。１２０２は、議事録を配布資料としてプリントさせる場合に選択するための議事録（配布資料）ボタンである。１２０３は、議事録を電子カルテに反映させるための電子カルテボタンである。医療カンファレンスの開催には、保険点数が定義されているが、そのためには、開催情報を電子カルテに記載する必要がある。
【００７８】
図１３は、図１１のステップＳ１１０３において取得されるレイアウト情報の一例を示す図である。図１３に示すレイアウト情報は、図１２の議事録（プレビュー）ボタン１２０１が押下されることにより取得される。本レイアウト情報は、プリントして配布されることを想定して１枚にサマリ情報を格納する。レイアウト情報には、医療カンファレンス情報が格納される領域（医療カンファレンス情報格納領域）１３０１、患者基本情報が格納される領域（患者基本情報格納領域）１３０２、診断情報が格納される領域（診断情報格納領域）１３０３、結論が格納される領域（結論格納領域）１３０４及び重要検査画像データが格納される領域（重要検査画像データ格納領域）１３０５の座標と各領域の関係とが、例えばＸＭＬ等の構造化言語で定義される。
【００７９】
図１４は、図１３に示すレイアウト情報に対して、図１１のステップＳ１１０４で医療カンファレンスから得られた情報が反映されたサマリの一例を示す図である。図１４に示すように、医療カンファレンス情報格納領域１３０１、患者基本情報格納領域１３０２及び診断情報格納領域１３０３に対して、医療カンファレンスの議題となる情報が反映される。また、結論格納領域１３０４及び重要検査画像データ格納領域１３０５に対して、カンファレンスシステム１００上で入力された結論及び操作された検出画像データが反映される。
【００８０】
重要検査画像データ格納領域１３０５には、カンファレンスシステム１００で操作された全ての検査画像データが重要度順にソートされ、重要度が高い方から、重要検査画像データ格納領域１３０５に収まる数だけ検査画像データが選択されて表示される。
【００８１】
図１５は、図１２に示すダイアログ１２００において、電子カルテボタン１２０３が押下された場合に表示されるユーザインタフェースの一例を示す図である。図１５において、１５０１はサマリのビューであり、図１４の例と同じ医療カンファレンスから得られた情報を電子カルテに反映するためのビューを示している。タイトルバーには、サマリのタイトル、作成日及び対象患者情報等が格納される。１５０２は、図３の診断情報表示領域３０１に表示されている診断情報のうち、確定したもの及び結論格納領域３０２に格納された結論が表示される。１５０３は重要検査画像表示領域であり、カンファレンスシステム１００で操作された検査画像データが、図６のステップＳ６０１により付与された重要度が高い順に並べられる。重要検査画像表示領域１５０３においては、検査画像データに付与された重要度と、検査画像データと、検査画像データが操作された時点付近のカンファレンス出席者の発言とが表示される。１５０４は、電子カルテ入力領域であり、医療カンファレンスの実施記録、結論及び結論の根拠になった医用情報を１５０１、１５０２又は１５０３からコピーして貼り付けることができる。或いは、必要な医用情報を自動的に電子カルテ入力領域１５０４に格納するようにしてもよい。１５０５は保存ボタンである。保存ボタン１５０５が操作されることにより、電子カルテ入力領域１５０４に格納された医用情報は、電子カルテに登録するためのバッファ領域に格納される。バッファ領域に格納された医用情報は、医師の承認により電子カルテに反映される。
【００８２】
このように、医療カンファレンスの結論及びその根拠になった医用情報を提示することにより、医療カンファレンス実施内容のうち重要な部分を簡単に電子カルテに登録することができる。
【００８３】
上述した実施形態においては、医療カンファレンスの結論に応じて結論を導いた根拠となる検査画像データを選定し、サマリとして表示するようにしている。これにより、医療カンファレンスの内容を筆記して手動で整理することなく、医療カンファレンスの結論とその根拠となった資料を振り返ることができる。なお、本実施形態では、医療カンファレンスで操作される医用情報として検査画像データを例に挙げたが、これに限定されるものではなく、例えば患者のバイタルデータ等の医用情報にも適用することができる。
【００８４】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００８５】
１００：カンファレンスシステム、１０１：ディスプレイ、１０２：カンファレンス制御サーバ、１０３：ネットワーク、１０４：検査画像サーバ、１０５：電子カルテサーバ、２０１：操作入力部、２０２：資料操作部、２０３：サマリ生成部、２０４：操作検出部、２０５：操作実行部、２０６：重要画像選定部、２０７：レイアウト出力部、２０８：事前準備資料、２０９：表示部
【図１】
2013228800.tif 000010
【図２】
2013228800.tif 000011
【図３】
2013228800.tif 000012
【図４】
2013228800.tif 000013
【図５】
2013228800.tif 000014
【図６】
2013228800.tif 000015
【図７】
2013228800.tif 000016
【図８】
2013228800.tif 000017
【図９】
2013228800.tif 000018
【図１０】
2013228800.tif 000019
【図１１】
2013228800.tif 000020
【図１２】
2013228800.tif 000021
【図１３】
2013228800.tif 000022
【図１４】
2013228800.tif 000023
【図１５】
2013228800.tif 000024